(57)【要約】【課題】本発明は、簡単に組み立てが可能で従来の蝶番と同様の耐久性を備えている眼鏡フレームを提供することを目的とする。【解決手段】レンズ枠体の枠部の一部を切り欠いて側方にＵ字状に突出する支持部１１の先端部を折り返すように湾曲形成して嵌合部１３が形成されている。連結部材３は、支持部１１を挟持するように嵌合部１３に嵌め込まれており、上下に第一コマ部３１及び３２が側方に突設されている。テンプル２の端部に設けられた第二コマ部２０は、嵌合部１３に形成された隙間１７を通って第一コマ部３１及び３２の間に挿着される。ネジ部材６は、第一及び第二コマ部に螺合してテンプル２を連結部材３に回動可能に連結する。【選択図】図５
2010276805.tif 000002
【特許請求の範囲】
【請求項１】
レンズを保持する枠部を有するレンズ枠体にテンプルが回動可能に連結された眼鏡フレームにおいて、前記枠部の一部を切り欠いて側方にＵ字状に突出するように前記レンズ枠体に一体形成されるとともに先端部を折り返すように湾曲形成して嵌合部が形成された支持部と、前記支持部を挟持するように前記嵌合部に嵌め込まれるとともに複数の第一コマ部が形成された連結部材と、前記テンプルの端部に設けられるとともに前記嵌合部に形成された隙間を通って前記第一コマ部の間に挿着される第二コマ部と、前記第一及び第二コマ部を相対的に回動可能に連結する軸部材とを備えていることを特徴とする眼鏡フレーム。
【請求項２】
前記連結部材は、前記第一コマ部が両端部に突出形成されるとともに側部に前記嵌合部が嵌め込まれる溝部が形成された基体部を備えており、前記溝部内及び前記第一コマ部の間に前記嵌合部を挟持するように取り付けられることを特徴とする請求項１に記載の眼鏡フレーム。
【請求項３】
前記嵌合部には両側に位置決め用突起が形成されており、前記連結部材には前記位置決め用突起が嵌め込まれる窪みが形成されていることを特徴とする請求項１又は２に記載の眼鏡フレーム。
【発明の詳細な説明】
【技術分野】
【０００１】
本発明は、レンズを保持する枠部を有するレンズ枠体にテンプルが回動可能に連結された眼鏡フレームに関する。
【背景技術】
【０００２】
眼鏡フレームは、レンズを保持するレンズ枠体に蝶番を介してテンプルを取り付けてテンプルが折り畳めるように構成されている。蝶番は、レンズ枠体側に固定されるコマ部材とテンプル側に固定されるコマ部材とをネジにより連結して構成されており、それぞれのコマ部材を溶接により固定することが行われているが、こうした蝶番構造の簡略化及び取付作業の効率化の観点から様々な改良工夫が提案されている。
【０００３】
例えば、特許文献１では、智に固定された線状体の平行部の間にテンプルとなる棒状体の先端に固定した球状体を回動可能に嵌め込んで構成した眼鏡フレームが記載されている。また、特許文献２では、線材よりなるブラケットを２つ折りにし、ブラケットの先端部に屈曲部を設け、テンプルの先端に取り付けられた円筒状軸部部材を屈曲部に嵌合して屈曲部を支軸にしてテンプルが回動自在取り付けられた眼鏡フレームが記載されている。また、特許文献３では、眼鏡フロント部のエンドピースに設けられた略Ｕ字状の湾曲軸受部にテンプルの先端に設けた縦軸部材を回動可能に支承した眼鏡フレームが記載されている。
【先行技術文献】
【特許文献】
【０００４】
【特許文献１】特開平８−０６８９７３号公報
【特許文献２】特開平１０−０２０２６０号公報
【特許文献３】特開平１１−３３７８８３号公報
【発明の概要】
【発明が解決しようとする課題】
【０００５】
上述した特許文献では、線状体で構成された軸受部材にテンプルに固定された球状体等の軸部材を回動可能に取り付けて蝶番構造を簡略化し、組立作業を簡単にしているが、線状体を智又はフロント部に溶接により固定する必要がある。また、蝶番構造が簡略化されているが、耐久性や操作性の点で従来の蝶番に比べて優れているとはいえない。
【０００６】
そこで、本発明は、簡単に組み立てが可能で従来の蝶番と同様の耐久性を備えている眼鏡フレームを提供することを目的とする。
【課題を解決するための手段】
【０００７】
本発明に係る眼鏡フレームは、レンズを保持する枠部を有するレンズ枠体にテンプルが回動可能に連結された眼鏡フレームにおいて、前記枠部の一部を切り欠いて側方にＵ字状に突出するように前記レンズ枠体に一体形成されるとともに先端部を折り返すように湾曲形成して嵌合部が形成された支持部と、前記支持部を挟持するように前記嵌合部に嵌め込まれるとともに複数の第一コマ部が形成された連結部材と、前記テンプルの端部に設けられるとともに前記嵌合部に形成された隙間を通って前記第一コマ部の間に挿着される第二コマ部と、前記第一及び第二コマ部を相対的に回動可能に連結する軸部材とを備えていることを特徴とする。さらに、前記連結部材は、前記第一コマ部が両端部に突出形成されるとともに側部に前記嵌合部が嵌め込まれる溝部が形成された基体部を備えており、前記溝部内及び前記第一コマ部の間に前記嵌合部を挟持するように取り付けられることを特徴とする。さらに、前記嵌合部には両側に位置決め用突起が形成されており、前記連結部材には前記位置決め用突起が嵌め込まれる窪みが形成されていることを特徴とする。
【発明の効果】
【０００８】
本発明は、上記のような構成を有することで、レンズ枠体の枠部の一部を切り欠いて側方にＵ字状に突出するように一体形成されるとともに先端部を折り返すように湾曲形成して嵌合部が形成された支持部に対して連結部材を挟持するように嵌合部に嵌め込み、連結部材の第一コマ部の間にテンプルの第二コマ部を挿着して軸部材により回動可能に連結しているので、溶接等の作業が不要となって簡単に組み立てることができる。
【０００９】
また、支持部を挟持するように連結部材が嵌合するので、支持部が形成された枠部の切欠き部分が圧接されるようになり、レンズ枠体に装着したレンズを安定した状態で保持することができる。また、連結部材を支持部から取り外すことで、枠部の切欠き部分が開いて簡単にレンズを取り外すことが可能となり、レンズの着脱を容易に行うことができ、眼鏡の組み立てがきわめて容易になる。
【００１０】
支持部の先端部を折り返すように湾曲形成した嵌合部に連結部材を嵌め込んで、嵌合部の隙間にテンプルの第二コマ部を挿着しているので、連結部材が嵌合部から抜け落ちることを防止することができる。また、連結部材の第一コマ部の間にテンプルの第二コマ部を挿着して軸部材により連結しているので、従来の蝶番と同様の耐久性及び操作性を備えている。
【図面の簡単な説明】
【００１１】
【図１】本発明に係る眼鏡フレームに関する平面図である。
【図２】本発明に係る眼鏡フレームに関する正面図である。
【図３】レンズ枠体に関する展開図である。
【図４】支持部及び連結部材に関する拡大斜視図である。
【図５】連結部材の嵌合部への取付状態に関する斜視図である。
【図６】テンプルが連結部材に連結された状態を示す斜視図である。
【発明を実施するための形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１及び図２は、本発明に係る眼鏡フレームに関する平面図及び正面図である。レンズ枠体１の左端部にはテンプル２ａが連結部材３ａを介して回動可能に取り付けられており、右端部にはテンプル２ｂが連結部材３ｂを介して回動可能に取り付けられている。
【００１４】
レンズ枠体１は、左右２つのレンズ１０ａ、１０ｂをそれぞれ保持する枠部１ａ、１ｂと、枠部１ａ及び１ｂを連結するブリッジ１ｃと、枠部１ａ、１ｂに形成された支持部１１ａ、１１ｂとからなり、連結部材３ａ、３ｂは、それぞれ支持部１１ａ、１１ｂに嵌合して支持されている。
【００１５】
また、枠部１ａ、１ｂには、鼻に係止するための鼻パッド４ａ、４ｂがそれぞれ取り付けられている。テンプル２ａ、２ｂには、耳に掛けるためのモダン５ａ、５ｂがそれぞれ挿着されている。テンプル及びレンズ枠体はチタン等の金属材料で成形されており、モダンは樹脂材料からなる。
【００１６】
図３は、レンズ枠体１に関する展開図である。枠部１ａ、１ｂの支持部１１ａ、１１ｂが形成された箇所には切欠き１２ａ、１２ｂが形成されており、支持部１１ａ、１１ｂは、切欠き１２ａ、１２ｂを起点に外方に向かってＵ字状に突出するように形成されている。そして、支持部１１ａ、１１ｂの先端部には、嵌合部１３ａ、１３ｂとなる細幅部分が形成されている。支持部１１ａ、１１ｂの内側に形成される隙間は、切欠き１２ａ、１２ｂから先端部まで全長にわたって延びており、切欠き１２ａ、１２ｂに近い根元部分は幅が狭く嵌合部１３ａ、１３ｂに対応する細幅部分は幅が広くなるように設定されている。嵌合部１３ａ、１３ｂに対応する細幅部分の外側には、位置決め用突起１４ａ、１４ｂが形成されており、各位置決め用突起は、それぞれ両側の対向する位置に対となるように配置されている。
【００１７】
図３に示すレンズ枠体１は、板状体を打ち抜き加工等により成形すれば、枠部に支持部を一体形成した状態で簡単に製造することができる。
【００１８】
図４は、支持部１１及び連結部材３に関する拡大斜視図である。図４では、支持部１１ａ及び連結部材３ａ又は支持部１１ｂ及び連結部材３ｂが同一の構成であるため、数字の符号のみ示してａ及びｂは符号から省略した。
【００１９】
支持部１１は、先端部を折り返すように湾曲形成して嵌合部１３が設けられている。嵌合部１３は、長手方向に形成された２対の位置決め用突起１４が対向配置するように平面視Ｕ字状に湾曲されて屈曲部１５が形成されている。嵌合部１３は、先端部１６が円弧状に閉じた形状に形成され、内側に所定幅の隙間１７が先端部１６まで形成されている。そして、隙間１７は、切欠き１２に通じる隙間１９に連通している。
【００２０】
また、屈曲部１５から先端部１６までの折り返し部分と屈曲部１５までの根元部分との間は、所定の間隔１８を空けてほぼ平行に設定されている。
【００２１】
連結部材３は、基体部３０の上下に第一コマ部３１及び３２がそれぞれ側方に突出するように形成されている。第一コマ部３１及び３２の中央部分にはそれぞれ連結孔３３及び３４が穿設されている。第一コマ部３１及び３２は、同じ方向にほぼ平行に突出しており、その間の間隔は嵌合部１３の上下方向の幅とほぼ同じかわずかに狭く設定されている。基体部３０の側面は、第一コマ部３１及び３２の間において平面状に形成されており、その横方向の幅は嵌合部１３の間隔１８とほぼ同じかわずかに広く設定されている。第一コマ部３１及び３２の根元部分の内側には、嵌合部１３の位置決め用突起１４が嵌め込まれる４つの窪み３６がそれぞれ両側に対向するように形成されている。
【００２２】
連結部材３を嵌合部１３に取り付ける場合には、嵌合部１３の先端部１６側から連結部材３の第一コマ部３１及び３２を差し込むように挿着する。まず、嵌合部１３の折り返し部分及び根元部分が第一コマ部３１及び３２の間に差し込まれていき、基体部３０の両側に当接した状態になる。その際に、位置決め用突起１４が第一コマ部３１及び３２の内側に当接して、先端部１６が圧縮されて隙間１７の間隔が狭くなるように変形する。そして、第一コマ部３１及び３２の内側に嵌合部１３の湾曲部１５が当接するまで連結部材３を挿入すると、第一コマ部３１及び３２の内側に形成された窪み３６が位置決め用突起１４に嵌め込まれて、先端部１６の圧縮状態が解消され隙間１７が元の状態に戻り、連結部材３の取り付けが完了する。
【００２３】
図５は、連結部材３の嵌合部１３への取付状態に関する斜視図である。連結部材３の取付状態では、第一コマ部３１及び３２の間に嵌合部１３が保持されており、さらに位置決め用突起１４が窪み３６に嵌め込まれているので、連結部材３が嵌合部１３から抜け落ちることはない。また、嵌合部１３が第一コマ部３１及び３２の間に挟持されるように保持されるので、隙間１７の幅が狭くなるように作用する。そのため、連結部材３を嵌合部１３に挿着すると、図３に示す枠部１ａ及び１ｂの切欠き１２ａ及び１２ｂに通じる隙間１９が狭くなる。したがって、枠部１ａ及び１ｂにレンズを嵌め込んだ状態で連結部材３を嵌合部１３に挿着すれば、切欠き１２ａ及び１２ｂが閉じる方向に設定されてレンズが枠部１ａ及び１ｂ内にしっかりと保持されるようになる。したがって、連結部材３の嵌合部１３への着脱によりレンズを枠部に簡単に着脱することができる。
【００２４】
また、連結部材３にテンプル２を取り付ける場合には、図５に示すように、テンプル２の内側に突設された第二コマ部２０を嵌合部１３の内側に形成された隙間１７に差し込むように挿着する。第二コマ部２０は、隙間１７の幅とほぼ同じ厚さに設定されており、中央部に連結孔２１が穿設されている。第二コマ部２０は、連結部材３の側方から隙間１７に差し込まれて連結孔２１が第一コマ部３１及び３２の連結孔３３及び３４と一致するように位置合せされる。そして、図５に示すように、連結孔３３の上方からネジ部材６が挿入されて連結孔３３及び３４の内周面に形成されたネジ溝に螺合し、連結部材３の第一コマ部３１及び３２、嵌合部１３及びテンプル２の第二コマ部２０が重なり合った状態で締付固定される。
【００２５】
図６は、テンプル２が連結部材３に連結された状態を示す斜視図である。第一コマ部３１と第二コマ部２０との間並びに第二コマ部２０及び第一コマ部３２との間にそれぞれ嵌合部１３が挟持されてワッシャの機能を果たすので、第二コマ部２０は第一コマ部３１及び３２に対してスムーズに回動するように取り付けられる。そのため、テンプル２は、軸部材であるネジ部材６を中心に回動することができ、レンズ枠体１に対して折り畳んだ状態又は図１に示すような開いた状態に操作することが可能となる。
【００２６】
また、連結部材３が嵌合部１３から外れる方向に移動した場合には、第二コマ部２０が嵌合部１３の先端部１６に当接した状態となるため、連結部材３が抜け落ちるのを確実に防止することができる。
【００２７】
また、ネジ部材６により嵌合部１３を第一及び第二コマ部の間で締付け固定することで、支持部１１が連結部材３に挟持されて枠部の切欠きが閉じる方向に保持され、枠部にレンズが安定した状態で保持されるようになる。
【００２８】
以上説明したように、レンズ枠体に一体形成した支持部に連結部材を取り付けることで、レンズ枠体の枠部にレンズを嵌め込んだ状態で枠部の切欠き部分を閉じる方向に設定して、レンズを容易に着脱することができるとともにレンズの抜け落ちを防止することができる。また、連結部材に設けられた第一コマ部の間にテンプルに設けられた第二コマ部を挿入してネジ部材で連結することで、テンプルを回動可能に連結することができる。
【００２９】
そのため、溶接等の作業を行うことなく簡単に組立可能で、従来の蝶番と同様にテンプルを安定した状態で回動可能に操作することができ、十分な耐久性を備えている。
【符号の説明】
【００３０】
１    レンズ枠体
２    テンプル
３    連結部材
４    鼻パッド
５    モダン
６    ネジ部材
10    レンズ
11    支持部
12    切欠き
13    嵌合部
14    位置決め用突起
20    第二コマ部
31    第一コマ部
32    第一コマ部
【図１】
2010276805.tif 000003
【図２】
2010276805.tif 000004
【図３】
2010276805.tif 000005
【図４】
2010276805.tif 000006
【図５】
2010276805.tif 000007
【図６】
2010276805.tif 000008